(57)【要約】【課題】並設されるパチンコ機の入れ替えによる上皿の高さの違いに対応可能であって、安定に支持された状態で使用可能な玉排出ノズル等を提供する。【解決手段】玉排出ノズル２０は、並設されたパチンコ玉貸機から供給されるパチンコ玉をパチンコ機が有する上皿３の上方まで案内する供給樋部２２と、基部２１の先端からパチンコ玉を斜め下方に案内し、下端部で斜面部２４の表側の側方にパチンコ玉を排出可能な傾斜通路部２３とを有する。傾斜通路部２３には、これを同一方向に延長する延長部材であって下端部の構造が傾斜通路部２３と同一のものを１個または複数個連結することができる。【選択図】図１
2005160618.tif 000002
【特許請求の範囲】
【請求項１】
パチンコ機に並設して設けられるパチンコ玉貸機の本体前面に基部が取り付けられ、略水平もしくは先端に向けて下方傾斜して延び、前記パチンコ玉貸機から供給されるパチンコ玉をパチンコ機が有する上皿の上方まで案内する供給樋部と、
前記供給樋部の先端からパチンコ玉を斜め下方に案内し、下端部で斜面の表側の側方にパチンコ玉を排出可能な傾斜通路部と
を有する
ことを特徴とするパチンコ玉貸機の玉排出ノズル。
【請求項２】
前記傾斜通路部は、前記供給樋部を流れてきたパチンコ玉の進行方向の斜め下方に傾斜している
ことを特徴とする請求項１に記載のパチンコ玉貸機の玉排出ノズル。
【請求項３】
前記供給樋部の先端が、パチンコ機の上皿の上方に位置する状態で、前記傾斜通路部の傾斜方向が前記上皿の玉受け面の傾斜方向と同一方向になるようにした
ことを特徴とする請求項１に記載のパチンコ玉貸機の玉排出ノズル。
【請求項４】
前記傾斜通路部は、その下端部に、この傾斜通路を同一方向に延長する延長部材を接続可能に構成されている
ことを特徴とする請求項１、２または３に記載のパチンコ玉貸機の玉排出ノズル。
【請求項５】
前記傾斜通路部と同一の下端部構造を有し、複数連結可能な請求項４に記載の延長部材。
【請求項６】
請求項１、２、３または４に記載の玉排出ノズルを備えたパチンコ玉貸機。
【発明の詳細な説明】
【技術分野】
【０００１】
本発明は、パチンコ機の上皿にパチンコ玉を供給するパチンコ玉貸機およびその玉排出ノズルに関する。
【背景技術】
【０００２】
遊技機島において、パチンコ玉貸機はパチンコ機毎に並設されており、本体前面に基部が取り付けられた玉排出ノズルの先端を、並設されたパチンコ機の上皿の上方に回動させることで、貸玉としてのパチンコ玉をパチンコ機の上皿に排出するようになっている。また、玉排出ノズルを回動させてその先端をパチンコ玉貸機本体の正面側にした状態で、基部の底部を上方に押し上げると、貸し出されるパチンコ玉が、この基部の底部から下方に排出されるようになっている。
【０００３】
玉排出ノズルは、先端側をある程度下方に傾斜させることが可能な構造になっており、パチンコ玉をパチンコ機の上皿に排出させる際には、通常、図１７に示すように、玉排出ノズル１００の胴部下面を上皿１１０の縁部１１１に押し当てて、玉排出ノズル１００の位置を安定させて使用される。
【０００４】
ところで、遊技内容を変更する等のために遊技機島内のパチンコ機は入れ替えられるが、パチンコ玉貸機は、通常、そのまま同じものが使用される。パチンコ機の上皿の高さはメーカーによって異なるので、玉排出ノズルの先端の高さは、最も高い上皿を基準に設定される。このため、上皿の位置が低いパチンコ機に入れ替えると、玉排出ノズルの先端から上皿までの落下距離が大きくなって、玉排出ノズルから排出されたパチンコ玉が上皿からこぼれ落ちてしまう場合が生じる。
【０００５】
そこで、パチンコ機を入れ替えることによる上皿の高さの変化に対応可能なように、玉排出ノズルの先端に高さ調整可能な落下案内板を設け、この落下案内板を排出口と上皿との隙間が少なくなるように調節することで、排出されるパチンコ玉が上皿の外に飛び出すことを防止するようにしたパチンコ玉貸機がある（たとえば、特許文献１参照。）。
【０００６】
また、図１８に示すように、玉排出ノズル１２１の先端に、アダプター１２２を１個または複数個連結させて付けて、パチンコ玉の排出口の高さを自在に調整し得るように構成したパチンコ玉貸機１２０が提案されている（たとえば、特許文献２参照。）。
【０００７】
【特許文献１】実開平２−９４５９０号公報
【特許文献２】実開平４−２０３８５号公報
【発明の開示】
【発明が解決しようとする課題】
【０００８】
上皿の高さが低いパチンコ機に対して、玉排出ノズルの先端を大きく下方に傾斜させて玉排出ノズルの胴部下面を上皿の縁部に押し当てると、図１９に示すように、玉排出ノズル１３１の先端と上皿１３２の玉受け面１３３との隙間が狭くなり、パチンコ玉１３４を円滑に排出できなくなってしまう。
【０００９】
一方、玉排出ノズルの先端に落下案内板やアダプターを取り付けると、図２０に示すように、下方に進出したアダプター１２２等の下端の排出口１２３と上皿１２４の玉受け面１２５との間に、パチンコ玉を排出可能な隙間を確保するためには、アダプター１２２の分だけ、玉排出ノズル１２１全体を上皿１２４から離す必要があり、玉排出ノズル１２１の胴部下面を上皿１２４の縁部１２６に押し当てることはできない。このため、支えのない状態で、玉排出ノズル１２１を適当な角度に調整して空中で保持しなければならず、使い難かった。
【００１０】
本発明は、上記の問題を解決しようとする課題にするものであり、並設されるパチンコ機の入れ替えによる上皿の高さの違いに対応可能であって、安定に支持された状態で使用可能な玉排出ノズルとその延長部材およびこれらを備えたパチンコ玉貸機を提供することを目的とするものである。
【課題を解決するための手段】
【００１１】
請求項１にかかわる発明は、パチンコ機（２）に並設して設けられるパチンコ玉貸機（１０）の本体前面に基部（２１）が取り付けられ、略水平もしくは先端に向けて下方傾斜して延び、前記パチンコ玉貸機（１０）から供給されるパチンコ玉をパチンコ機（２）が有する上皿（３）の上方まで案内する供給樋部（２２）と、
前記供給樋部（２２）の先端からパチンコ玉を斜め下方に案内し、下端部で斜面の表側の側方にパチンコ玉を排出可能な傾斜通路部（２３）と
を有する
ことを特徴とするパチンコ玉貸機（１０）の玉排出ノズルである。
【００１２】
上記発明によれば、供給樋部（２２）は、パチンコ玉貸機（１０）から供給されるパチンコ玉を、並設されたパチンコ機（２）が有する上皿（３）の上方まで案内し、傾斜通路部（２３）は、供給樋部（２２）の先端からパチンコ玉を斜め下方にさらに案内し、その下端部で斜面の表側の側方にパチンコ玉を排出可能になっている。すなわち、傾斜通路部（２３）の下端を上皿（３）の玉受け面（４）に押し当てた状態で使用しても、パチンコ玉が側方に排出される。さらに、排出可能な方向が斜面の表側の側方なので、斜面に沿って流下してきたパチンコ玉の勢いを生かしてパチンコ玉が排出される。
【００１３】
傾斜通路部（２３）がパチンコ玉を案内する方向は、供給樋部（２２）の先端から斜め下方であればよく、供給樋部（２２）を流れてきたパチンコ玉の進行方向（通常は、供給樋部の延設方向）と異なる方向の斜め下方であってもよい。下方に案内する距離は固定であっても、調整可能であってもよい。調整可能とする場合には、傾斜通路部（２３）の長さが延び縮みするように構成してもよいし、アダプターを取り付けることで長さを変えてもよい。
【００１４】
傾斜通路部（２３）は、その下端部で斜面の表側の側方にパチンコ玉を排出可能な構造であればよく、たとえば、下端部にパチンコ玉を下方に排出する排出口をさらに具備してもよい。また傾斜通路部（２３）は、パチンコ玉を斜め下方に案内可能な通路であればよく、途中を筒状に構成しても、断面コの字状等に構成してもよい。
【００１５】
請求項２にかかわる発明は、前記傾斜通路部（２３）は、前記供給樋部（２２）を流れてきたパチンコ玉の進行方向の斜め下方に傾斜している
ことを特徴とする請求項１に記載のパチンコ玉貸機（１０）の玉排出ノズルである。
【００１６】
上記発明によれば、傾斜通路部（２３）が、供給樋部（２２）を流れてきたパチンコ玉の進行方向の斜め下方に傾斜しているので、供給樋部（２２）を流れてきたパチンコ玉は、その勢いを生かしたまま下方に案内されて、斜面の表側の側方に排出される。
【００１７】
請求項３に係わる発明は、前記供給樋部（２２）の先端が、パチンコ機（２）の上皿（３）の上方に位置する状態で、前記傾斜通路部（２３）の傾斜方向が前記上皿（３）の玉受け面（４）の傾斜方向と同一方向になるようにした
ことを特徴とする請求項１に記載のパチンコ玉貸機（１０）の玉排出ノズルである。
【００１８】
上記発明によれば、傾斜通路部（２３）の斜面に沿って流下してきたパチンコ玉は、傾斜通路部（２３）の下端部から排出された後、傾斜通路部（２３）と同一方向に傾斜している上皿（３）の玉受け面（４）に沿って円滑に流れる。その結果、下端部の出口付近にパチンコ玉が停留しなくなり、下端部からの円滑な排出が持続する。
【００１９】
請求項４にかかわる発明は、前記傾斜通路部（２３）は、その下端部に、この傾斜通路を同一方向に延長する延長部材（３０）を接続可能に構成されている
ことを特徴とする請求項１、２または３に記載のパチンコ玉貸機（１０）の玉排出ノズルである。
【００２０】
上記発明によれば、傾斜通路部（２３）の下端部に延長部材（３０）を接続することで、傾斜した通路が斜め下方の同一方向に延長される。延長部材（３０）の接続により、並設されるパチンコ機（２）の上皿（３）の高さの違いに対応可能になる。たとえば、傾斜通路部（２３）の下端部に、パチンコ玉を斜め下方の同一方向に排出する排出口が設けておき、延長部材（３０）を接続すると、この下方への排出口と延長部材（３０）とが連通し、かつ延長前の下端部にあった側方への排出口が延長部材（３０）の側壁等によって塞がれるように構成するとよい。
【００２１】
請求項５にかかわる発明は、前記傾斜通路部（２３）と同一の下端部構造を有し、複数連結可能な請求項４に記載の延長部材（３０）である。
【００２２】
上記発明によれば、延長部材（３０）の下端部が傾斜通路部（２３）の下端部と同一構造なので、延長部材（３０）同士を連結することができ、連結数により、下方への延長距離が変えることができる。また、延長部材（３０）の下端部が傾斜通路部（２３）の下端部と同一構造なので、延長後の下端部においてもパチンコ玉を側方へ排出することができ、下端を上皿（３）の玉受け面（４）に押し当てて、玉排出ノズルを安定に支えた状態での使用が可能になる。
【００２３】
請求項６に記載の発明は、請求項１、２、３または４に記載の玉排出ノズルを備えたパチンコ玉貸機（１０）である。
【発明の効果】
【００２４】
本発明に係わる玉排出ノズルおよびパチンコ玉貸機によれば、パチンコ機の上皿上方までパチンコ玉を案内する供給樋部の先端から斜め下方にパチンコ玉を傾斜通路部によってさらに案内し、その下端部で斜面の表側の側方にパチンコ玉を排出可能に構成したので、傾斜通路部の下端を上皿の玉受け面に押し当てた状態で使用しても、下端部の側方からパチンコ玉を上皿に排出することができる。すなわち、傾斜通路部の下端部を上皿の玉受け面に押し当てることによって玉排出ノズルを安定に支持しつつ、円滑にパチンコ玉を上皿に排出することができる。
【００２５】
また、排出可能な方向が斜面の表側の側方なので、斜面に沿って流下してきたパチンコ玉の勢いを生かしてパチンコ玉を排出することができ、玉詰まりが起こり難く、より円滑な排出が可能になる。
【００２６】
傾斜通路部が、供給樋部を流れてきたパチンコ玉の進行方向の斜め下方に傾斜しているものでは、供給樋部を流れてきたパチンコ玉がその勢いを生かしたまま下方に案内されて斜面の表側の側方に排出されるので、パチンコ玉がより円滑な排出される。
【００２７】
供給樋部の先端が、並設されたパチンコ機の上皿の上方に位置する状態で、傾斜通路部の傾斜方向が上皿の玉受け面の傾斜方向と同一方向になるようにしたものでは、傾斜通路部の斜面に沿って流下してきたパチンコ玉が、傾斜通路部の下端部から排出された後、傾斜通路部と同一方向に傾斜している上皿の玉受け面に沿って流下していくので、傾斜通路部の下端部の排出口付近にパチンコ玉が停留せず、下端部からの円滑にパチンコ玉が排出される状態を維持することができる。
【００２８】
傾斜通路部の下端部に、この傾斜通路を同一方向に延長する延長部材を接続し得るものでは、延長部材の接続により、並設されるパチンコ機の上皿の高さの違いに対応することができる。
【００２９】
上記の延長部材を、傾斜通路部と同一の下端部構造を有し、かつ複数連結可能に構成したものでは、延長部材の連結数を調整することにより、下方への延長距離が変えることができ、各種の上皿高さに対応することができる。また、延長部材の下端部が傾斜通路部の下端部と同一構造なので、延長後の下端部においてもパチンコ玉を側方へ排出することができ、下端を上皿の玉受け面に押し当てて、玉排出ノズルを安定に支えた状態での使用が可能になる。
【発明を実施するための最良の形態】
【００３０】
以下、図面に基づき本発明の実施の形態を説明する。
【００３１】
図２は、本発明に係わるパチンコ玉貸機１０の設置状態を示している。パチンコ玉貸機１０は、図示するようにパチンコ機２に並設されて使用される。パチンコ玉貸機１０は、硬貨や紙幣が投入されると、その金額に相当する数のパチンコ玉を貸玉として払い出す装置である。パチンコ玉貸機１０は、薄型箱状を成し、その正面上部には、紙幣投入口１１、硬貨投入口１２が配置されている。また正面中央よりやや下方に、玉排出ノズル２０の基部が取り付けられている。
【００３２】
玉排出ノズル２０は、図２に示すように、先端をパチンコ機２の上皿３の側に向けてパチンコ機２の正面と略平行になる横位置と、先端を手前に向けた前位置とに略９０度水平に回動可能（実際には１２０度回動可能）に支持されている。また、先端を上下方向に略３０度回動し得るようになっている。玉排出ノズル２０を前位置にした状態で、玉排出ノズル２０の取り付け部分下方の第１払出口１３を押し上げると、第１払出口１３の底部から貸玉としてのパチンコ玉が排出されるようになっている。
【００３３】
図３は、玉排出ノズル２０を示す斜視図であり、図４は玉排出ノズル２０を示す正面図、図５は玉排出ノズル２０を示す平面図である。図６は、図５のＡ−Ａ断面図である。玉排出ノズル２０は、パチンコ玉貸機１０の本体正面に上下左右に回動可能に取り付けられる基部２１と、供給樋部２２と、傾斜通路部２３とから構成される。
【００３４】
供給樋部２２は、パチンコ玉貸機１０の本体内部から基部２１を通じて供給されるパチンコ玉をパチンコ機２が有する上皿３の上方まで案内するための通路として機能する。傾斜通路部２３は、供給樋部２２の先端からパチンコ玉を斜め下方に案内する機能を果たす。詳細には、傾斜通路部２３は、パチンコ玉を斜め下方に案内する斜面部２４と、その左右両端から立設した側壁部２５とを有する断面コの字状の通路を成している。
【００３５】
側壁部２５の底辺と斜面部２４とは、１１０度の角をなし、側壁部２５は、底辺の両端が１１０度（斜面部２４側）と７０度の角をもつ略平行四辺形の形状をなしている。供給樋部２２の先端は略１５度の角度で上向きに傾斜しており、この先端に傾斜通路部２３の上端が接合されている。その結果、斜面部２４は、供給樋部２２を水平にしたとき、約３５度の傾斜角になる。
【００３６】
傾斜通路部２３は、断面コの字の形状をなしていることから、側方に開放部２８を有し、供給樋部２２の先端から流下してきたパチンコ玉を斜面部２４の表側の側方に排出することができる。また下端から下方にもパチンコ玉を排出可能な構造になっている。斜面部２４の表面の中央には、パチンコ玉と接触する縦方向に延びた矩形棒状のガイドレール２６が設けてある。また左右の側壁部２５の外面略中央よりやや上にはそれぞれ、後述する延長部材３０を係止するための係止突起２７が設けてある。
【００３７】
図７から図１３は、傾斜通路部２３に連結される延長部材３０を示している。延長部材３０は、傾斜通路部２３を同一方向に延長する。図７は延長部材３０の斜視図、図８は延長部材３０の正面図、図９は延長部材３０の平面図、図１０は延長部材３０の底面図、図１１は延長部材３０の右側面図、図１２は延長部材３０の左側面図、図１３は図９のＢ−Ｂ断面図である。
【００３８】
延長部材３０は、上部と下部の２段構造になっており、上部をなす連結部３１と下部をなす延長下端部３２とから構成される。延長下端部３２は、傾斜通路部２３と同一寸法かつ同一構造であり、斜面部３３と、その両端の側壁部３４と、側壁部３４の外面に設けられた係止突起３５と、斜面部３３の表面の中央縦に伸びるガイドレール３６とを有している。斜面部３３と対向する側方は、パチンコ玉を排出可能な開放部３８になっている。斜面部３３は、側壁部３４の底辺と１１０度の角をなし、側壁部３４は、底辺の両側が１１０度（斜面部３３側）と７０度の角をもつ略平行四辺形をなしている。
【００３９】
連結部３１は、延長下端部３２の斜面部３３と平行な封鎖壁４１と、封鎖壁４１の左右両端の連結側壁部４２とを有する。左右の連結側壁部４２は、傾斜通路部２３の側壁部２５の外側に、丁度、嵌まり込む間隔を有している。左右の連結側壁部４２にはそれぞれ、傾斜通路部２３の側壁部２５に形成された係止突起２７が嵌まり込む形状の係合穴４３が形成されている。
【００４０】
図１は、延長部材３０を接続せずに、玉排出ノズル２０から直接、パチンコ機２の上皿３にパチンコ玉を排出する場合の使用状態を示している。上皿３の高さが低いため、玉排出ノズル２０を下方に傾斜させ、傾斜通路部２３の下端（側壁部２５の先端）を上皿３の玉受け面４に押し当てて使用している。傾斜通路部２３の下端が玉受け面４によって安定に支持されるので、玉排出ノズル２０を遊技者が空中で保持する必要はない。また傾斜通路部２３は、断面コの字をなして、側方に開放部２８を有するので、流下してきたパチンコ玉５は、傾斜通路部２３の下端を玉受け面４に接触させた状態のままで、開放部２８から上皿３へ円滑に排出される。
【００４１】
図１４は、玉排出ノズル２０の傾斜通路部２３に延長部材３０を連結する様子、および延長部材３０同士をさらに連結する様子を示している。傾斜通路部２３と延長部材３０の連結部３１とをコの字の開放側が向き合うようにし、連結部３１の連結側壁部４２が傾斜通路部２３の側壁部２５の外側に嵌合するようにして、係止突起２７が係合穴に嵌まるまで、傾斜通路部２３と延長部材３０とを水平に互いに近づけて連結する。連結することにより、傾斜通路部２３の側方の開放部３８が延長部材３０の封鎖壁４１によって封鎖され、パチンコ玉は下方に案内される。
【００４２】
延長部材３０同士は、上記と同様にして連結する。すなわち、上側の延長部材３０ａの延長下端部３２と下側の延長部材３０ｂの連結部３１とをコの字の開放側が向き合うようにし、下側の延長部材３０ｂの連結部３１にある連結側壁部４２が、上側の延長部材３０ａの側壁部３４の外側に嵌合するようにする。そして、上側の延長部材３０ａの係止突起３５が下側の延長部材３０ｂの係合穴４３に嵌まるまで、上側の延長部材３０ａの延長下端部３２と下側の延長部材３０ｂの連結部３１と互いに水平に近づけて連結する。延長部材３０の連結数は適宜に調整することができる。
【００４３】
図１５、図１６は、延長部材３０を多数連結した状態の玉排出ノズル２０からパチンコ玉をパチンコ機の上皿３に排出する場合の使用状態を示している。玉排出ノズル２０の先端まで到達したパチンコ玉５は、連結された延長部材３０を通じて斜め下方に案内され、最下端の延長部材３０ｃの側方にある開放部３８から上皿３へと排出される。このように延長部材３０を連結することで、玉排出ノズル２０を斜めに大きく傾斜させることなく、パチンコ玉５の排出位置を上皿３の玉受け面４の近傍に設定することができる。
【００４４】
遠く上方から落下させるとパチンコ玉が上皿３からこぼれ落ちることがあるが、図１５に示すように上皿３の玉受け面４近傍からパチンコ玉５が排出されるので、パチンコ玉５が上皿３からこぼれ落ちることなく、円滑な払い出しを行なうことができる。図１５に示すものでは、最下端の延長部材３０ｃの下端を上皿３の玉受け面４から、わずかに離しているが、延長部材３０ｃの下端を玉受け面４に押し当てて、玉排出ノズル２０を安定に支持した状態で使用してもよい。この場合でも、側方の開放部３８からパチンコ玉５が円滑に上皿３へ排出される。
【００４５】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、玉排出ノズル２０の先端に設けた傾斜通路部２３や延長部材３０の形状は、実施の形態に例示したものに限定されず、通路部分を円筒状に構成してもよいし、下方から嵌合させて連結する構成にしてもよい。
【００４６】
また、傾斜通路部２３および延長部材３０が玉排出ノズル２０の先端から斜め下方に延びる方向は、実施の形態で示したものが好ましいが、これに限定されるものではない。たとえば、上皿３の玉受け面４の傾斜方向が図２に示したものと異なる場合には、その傾斜方向に合わせて、傾斜通路部２３や延長部材３０が斜め下方に延びる方向を設定してもよい。
【図面の簡単な説明】
【００４７】
【図１】本発明の実施の形態に係わるパチンコ玉貸機の玉排出ノズルから直接、パチンコ機の上皿にパチンコ玉を排出する場合の使用状態を示す部分断面図である。
【図２】本発明の実施の形態に係わるパチンコ玉貸機の設置状態の一例を示す説明図である。
【図３】本発明の実施の形態に係わるパチンコ玉貸機の有する玉排出ノズルを示す斜視図である。
【図４】本発明の実施の形態に係わるパチンコ玉貸機の有する玉排出ノズルを示す正面図である。
【図５】本発明の実施の形態に係わるパチンコ玉貸機の有する玉排出ノズルを示す平面図である。
【図６】本発明の実施の形態に係わるパチンコ玉貸機の有する玉排出ノズルの図５におけるＡ−Ａ断面図である。
【図７】本発明の実施の形態に係わるパチンコ玉貸機の有する玉排出ノズルに連結される延長部材を示す斜視図である。
【図８】延長部材を示す正面図である。
【図９】延長部材を示す平面図である。
【図１０】延長部材を示す底面図である。
【図１１】延長部材を示す右側面図である。
【図１２】延長部材を示す左側面図である。
【図１３】延長部材の図９におけるＢ−Ｂ断面図である。
【図１４】玉排出ノズルの傾斜通路部に延長部材を連結する様子、および延長部材同士をさらに連結する様子を示す説明図である。
【図１５】延長部材を多数連結した状態の玉排出ノズルからパチンコ玉をパチンコ機に排出する場合の使用状態を示す説明図である。
【図１６】図１５の部分断面図である。
【図１７】従来から使用されているパチンコ玉貸機において、玉排出ノズルと釣り合った適正な高さの上皿にパチンコ玉を排出する様子を示す説明図である。
【図１８】玉排出ノズルの先端をアダプターによって真下に延長可能なパチンコ玉貸機の使用状態の一例を示す説明図である。
【図１９】従来から使用されているパチンコ玉貸機において、玉排出ノズルに対して低い位置にある上皿にパチンコ玉を排出する様子を示す説明図である。
【図２０】図１８に示すパチンコ玉貸機からパチンコ玉を排出する様子を示す説明図である。
【符号の説明】
【００４８】
２…パチンコ機
３…上皿
４…玉受け面
５…パチンコ玉
１０…パチンコ玉貸機
１１…紙幣投入口
１２…硬貨投入口
１３…第１払出口
２０…玉排出ノズル
２１…基部
２２…供給樋部
２３…傾斜通路部
２４…斜面部
２５…側壁部
２６…ガイドレール
２７…係止突起
２８…開放部
３０…延長部材
３１…連結部
３２…延長下端部
３３…斜面部
３４…側壁部
３５…係止突起
３６…ガイドレール
３８…開放部
４１…封鎖壁
４２…連結側壁部
４３…係合穴
【図１】
2005160618.tif 000003
【図２】
2005160618.tif 000004
【図３】
2005160618.tif 000005
【図４】
2005160618.tif 000006
【図５】
2005160618.tif 000007
【図６】
2005160618.tif 000008
【図７】
2005160618.tif 000009
【図８】
2005160618.tif 000010
【図９】
2005160618.tif 000011
【図１０】
2005160618.tif 000012
【図１１】
2005160618.tif 000013
【図１２】
2005160618.tif 000014
【図１３】
2005160618.tif 000015
【図１４】
2005160618.tif 000016
【図１５】
2005160618.tif 000017
【図１６】
2005160618.tif 000018
【図１７】
2005160618.tif 000019
【図１８】
2005160618.tif 000020
【図１９】
2005160618.tif 000021
【図２０】
2005160618.tif 000022